【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
次の構造式を持つ化合物であって、
【化１】
2017524777.tif 000001
（Ｉ）
【化２】
2017524777.tif 000002
（ＩＩ）
【化３】
2017524777.tif 000003
（ＩＩＩ）
【化４】
2017524777.tif 000004
（ＩＶ）
【化５】
2017524777.tif 000005
（Ｖ）
【化６】
2017524777.tif 000006
（ＶＩ）
【化７】
2017524777.tif 000007
（ＶＩＩ）
【化８】
2017524777.tif 000008
（ＶＩＩＩ）
または
【化９】
2017524777.tif 000009
（ＩＸ）
式中、
Ｒ１およびＲ２は出現毎にそれぞれ独立して、シアノ、ハロアルキル、アルケニル、アルケニルアルキル、アルキニルアルキル、ヒドロキシアルキル、アクリラートアルキル、
【化１０】
2017524777.tif 000010
【化１１】
2017524777.tif 000011
【化１２】
2017524777.tif 000012
【化１３】
2017524777.tif 000013
【化１４】
2017524777.tif 000014
【化１５】
2017524777.tif 000015
【化１６】
2017524777.tif 000016
【化１７】
2017524777.tif 000017
【化１８】
2017524777.tif 000018
【化１９】
2017524777.tif 000019
【化２０】
2017524777.tif 000020
【化２１】
2017524777.tif 000021
【化２２】
2017524777.tif 000022
【化２３】
2017524777.tif 000023
【化２４】
2017524777.tif 000024
および
【化２５】
2017524777.tif 000025
より選ばれ、
Ｒ３は出現毎に独立して、Ｃ１〜Ｃ１２アルキル、ヘテロアリール、アルコキシ、アミノ、およびアルキルアミノより選ばれ、
Ｒ４〜Ｒ６はそれぞれ独立して、水素、Ｃ１〜Ｃ１２アルキル、Ｃ２〜Ｃ１２アルケニル、Ｃ６〜Ｃ１８アリール、Ｃ７〜Ｃ１８アルキル置換アリール、Ｃ７〜Ｃ１８アリール置換アルキル、Ｃ２〜Ｃ１２アルコキシカルボニル、Ｃ７〜Ｃ１８アリールオキシカルボニル、Ｃ８〜Ｃ１８アルキル置換アリールオキシカルボニル、Ｃ８〜Ｃ１８アリール置換アルコキシカルボニル、ニトリル、ホルミル、カルボキシラート、イミダート、およびチオカルボキシラートより選ばれ、
Ｒ７〜Ｒ１１はそれぞれ独立して、水素、ハロゲン、Ｃ１〜Ｃ１２アルキル、Ｃ２〜Ｃ１２アルケニル、ヒドロキシ、およびアミノより選ばれ、
Ｒ３ａおよびＲ３ｂはそれぞれ独立して、水素およびＣ１〜Ｃ１２アルキルより選ばれ、
Ａは出現毎に独立して、飽和または不飽和Ｃ２〜Ｃ１２二価炭化水素基より選ばれ、
ＲａおよびＲｂは出現毎にそれぞれ独立して、ハロゲン、Ｃ１〜Ｃ１２アルキル、Ｃ２〜Ｃ１２アルケニル、Ｃ３〜Ｃ８シクロアルキル、またはＣ１〜Ｃ１２アルコキシであって、ｐおよびｑは出現毎にそれぞれ独立して０から４であり、
Ｒ１３は出現毎に独立して、ハロゲンまたはＣ１〜Ｃ６アルキル基であって、ｃは出現毎に独立して０から４であり、
Ｒ１４は出現毎に独立して、Ｃ１〜Ｃ６アルキル、フェニル、または、最大５個までのハロゲンもしくはＣ１〜Ｃ６アルキル基で置換されたフェニルであり、
Ｒｇは出現毎に独立して、Ｃ１〜Ｃ１２アルキルもしくはハロゲンであり、または、２つのＲｇ基がその結合している炭素原子と共に、４員、５員、もしくは６員のシクロアルキル基を形成していて、ｔは０から１０である、
ことを特徴とする化合物。
【請求項２】
Ｒ１およびＲ２がそれぞれ独立して、
【化２６】
2017524777.tif 000026
【化２７】
2017524777.tif 000027
【化２８】
2017524777.tif 000028
【化２９】
2017524777.tif 000029
【化３０】
2017524777.tif 000030
【化３１】
2017524777.tif 000031
【化３２】
2017524777.tif 000032
【化３３】
2017524777.tif 000033
および
【化３４】
2017524777.tif 000034
より選ばれることを特徴とする、請求項１に記載の化合物。
【請求項３】
次の構造式を持つ化合物より選ばれ、
【化３５】
2017524777.tif 000035
（１）
【化３６】
2017524777.tif 000036
（２）
【化３７】
2017524777.tif 000037
（３）
【化３８】
2017524777.tif 000038
（４）
【化３９】
2017524777.tif 000039
（５）
【化４０】
2017524777.tif 000040
（６）
【化４１】
2017524777.tif 000041
（７）
【化４２】
2017524777.tif 000042
（８）
【化４３】
2017524777.tif 000043
（９）
または
【化４４】
2017524777.tif 000044
（１０）
式中、ＲａおよびＲｂは出現毎にそれぞれ独立して、ハロゲン、Ｃ１〜Ｃ１２アルキル、Ｃ２〜Ｃ１２アルケニル、Ｃ３〜Ｃ８シクロアルキル、またはＣ１〜Ｃ１２アルコキシであって、ｐおよびｑは出現毎にそれぞれ独立して０から４であり、Ｒ１３は出現毎に独立して、ハロゲンまたはＣ１〜Ｃ６アルキル基であって、ｃは出現毎に独立して０から４であり、Ｒ１４は出現毎に独立して、Ｃ１〜Ｃ６アルキル、フェニル、または、最大５個までのハロゲンもしくはＣ１〜Ｃ６アルキル基で置換されたフェニルである、
ことを特徴とする、請求項１または請求項２に記載の化合物。
【請求項４】
前記化合物が、高速液体クロマトグラフィ（ＨＰＬＣ）による測定で、９７％以上の純度を持つことを特徴とする、請求項１〜３のいずれか１項に記載の化合物。
【請求項５】
次の構造式（１−ａ）、（２−ａ）、（３−ａ）、（４−ａ）、（５−ａ）、（６−ａ）、（７−ａ）、（８−ａ）、または（９−ａ）、
【化４５】
2017524777.tif 000045
（１−ａ）
【化４６】
2017524777.tif 000046
（２−ａ）
【化４７】
2017524777.tif 000047
（３−ａ）
【化４８】
2017524777.tif 000048
（４−ａ）
【化４９】
2017524777.tif 000049
（５−ａ）
【化５０】
2017524777.tif 000050
（６−ａ）
【化５１】
2017524777.tif 000051
（７−ａ）
【化５２】
2017524777.tif 000052
（８−ａ）
【化５３】
2017524777.tif 000053
（９−ａ）
または
【化５４】
2017524777.tif 000054
（１０−ａ）
を持つことを特徴とする、請求項１〜４のいずれか１項に記載の化合物。
【請求項６】
前記化合物が、次の構造式
【化５５】
2017524777.tif 000055
（１’）
の化合物から誘導されることを特徴とする、請求項１〜５のいずれか１項に記載の化合物。
【請求項７】
前記化合物が、次の構造式
【化５６】
2017524777.tif 000056
（１’−ａ）
の化合物から誘導されることを特徴とする、請求項１〜６のいずれか１項に記載の化合物。
【請求項８】
構造式（１’−ａ）の前記化合物が、５０ｐｐｍ未満のアミノフェノール不純物、５００ｐｐｍ未満のフェノールフタレイン、または３ｐｐｍ以下の金属不純物を含むことを特徴とする、請求項７に記載の化合物。
【請求項９】
（ｉ）請求項１〜８のいずれか１項に記載の化合物と、
（ii）必要に応じて、硬化促進剤と、
（iii）必要に応じて、補助コモノマと、
を含むことを特徴とする硬化性組成物。
【請求項１０】
前記補助コモノマが、前記硬化性組成物中に存在し、マレイミド樹脂、ベンゾオキサジン樹脂、ビニルベンジルエーテル樹脂、アルケンまたはアルキン含有モノマ、アリールシクロブテン樹脂、パーフルオロビニルエーテル樹脂、これらの組合せより選ばれることを特徴とする、請求項９に記載の硬化性組成物。
【請求項１１】
請求項９または１０に記載の硬化性組成物を硬化して得られた生成物を含むことを特徴とする硬化組成物。
【請求項１２】
請求項１１に記載の硬化組成物を含む材料であって、前記材料が、複合材料、コーティング、接着剤、封入材料、またはシーラントであることを特徴とする材料。
【請求項１３】
前記複合材料が、ガラス繊維複合材料、炭素繊維複合材料、またはこれらの組合せであることを特徴とする、請求項１２に記載の材料。